(57)【特許請求の範囲】
【請求項１】
ステンレス鋼製二重壁真空ボトル（１）を主体とする容器本体（４）と、栓体（７）と該栓体（７）に対して着脱自在とされた栓カバー（８）を有して容器本体（４）の開口部（２１）を開閉する栓ユニット（５）と、該栓ユニット（５）を貫通して真空ボトル（１）の内外方向に出没するストロー（６）と、上記栓ユニット（５）の外側を開閉自在に覆蓋する蓋本体（１１）と上記ストロー（６）の上方を開閉自在に覆蓋するストローカバー（１２）とを有する蓋ユニット（１０）とを備え、上記栓ユニット（５）は上記真空ボトル（１）の開口部内周面に形成されたメネジ（２２）に着脱自在に螺着されている一方、上記蓋ユニット（１０）は上記容器本体（４）の外周面に形成されたオネジ（２４）に着脱自在に螺着されているストロー付き液体容器であって、上記ストロー（６）は、ストローバネ（１４）によって上方に付勢されており、上記栓体（７）に対して上記栓カバー（８）を装着したときには該栓カバー（８）が上記ストロー（６）の上動ストロークの規制を行うようになっていることを特徴とするストロー付き液体容器。
【発明の詳細な説明】
【０００２】
【発明の属する技術分野】
【０００３】
本願発明はストロー付き液体容器に関するものである。
【従来の技術】
【０００４】
ストロー付き液体容器は従来からいくつかの構造のものが知られている。
【０００５】
その一例として、たとえば図４に例示するような第３０３３６６１号登録実用新案のものがあるが、このストロー付き液体容器は、容器本体１０１とストロー付き蓋ユニット１１０とからなっており、その両者は封水用のパッキン１１３を介してネジ結合（容器本体１０１側のオネジ１１４と、蓋ユニット１１０側のメネジ１１５）されている。
【０００６】
ところで、従来の各種ストロー付き液体容器は、図４の公知例に代表されるように、容器本体１０１と蓋ユニット１１０とが非保温構造であり（容器本体１０１と蓋ユニット１１０とが、ともに一重壁構造である）、本願発明者の知る限りにおいては、保温性を考慮したものは見当らなかった。
【発明が解決しようとする課題】
【０００７】
本願発明者は、上記の点に鑑み、ストロー付き液体容器にも保温性（保冷性を含む、以下同じ）をもたせることを種々検討した結果、デザイン性、携行性、耐久性等を考慮して、容器本体としてステンレス鋼製の二重壁真空ボトルを採用することに想到したが、その場合には次のような問題が発生することが懸念される。
【０００８】
すなわち、ステンレス鋼製の二重壁真空ボトルは、内、外２つのステンレス鋼製容器の上端開口部を溶接によって一体化するのが、通例であるが、その場合、溶接上端面が必ずしも平滑面とならないことがあり、図４の従来例のように容器本体の上端面上に封水用パッキンを介してストロー付き蓋ユニットを直接螺着結合するということが困難になるであろうということが懸念される。
【０００９】
したがって、本願発明は、ステンレス鋼製二重壁真空ボトルを採用してストロー付き液体容器に保温性を付与することを可能にし得るような新規な封水構成のストロー付き液体容器を提案することを目的とするものである。
【課題を解決するための手段】
【００１０】
本願発明は上記目的を達成するために、次のように構成される。以下、これを図１ないし図３に例示するストロー付き液体容器を参照しながら説明する。
【００１１】
先ず、容器本体４としては保温性を有するステンレス鋼製二重壁真空ボトル１を主体として使用する。そして、真空ボトル１の開口部２１にはメネジ２２を形成し、このメネジ２２に栓体７に形成したオネジ２３を螺合して、栓体７によって真空ボトル１の上部開口部２１を封止する。
【００１２】
栓体７にはストロー６を挿通するための筒状部のようなストロー挿通部１９が設けられる。ストロー６は真空ボトル１の内外方向に出没自在に設けられる。
【００１３】
栓体７の上方には栓カバー８が着脱自在に結合され、両者でもって栓ユニット５とされる。
【００１４】
栓ユニット５の外側は蓋本体１１で覆蓋される。蓋本体１１にはストロー６の上方を開閉するストローカバー１２が組合わされており、この蓋本体１１とストローカバー１２とで蓋ユニット１０が形成される。蓋ユニット１０は容器本体４の外周面に形成されたオネジ２４に着脱自在に螺着される。
【００１５】
本願発明を実施する場合に、ストロー６は、ストローバネ１４によって上方に付勢させておけば、ストローカバー１２の開操作時に、ストロー６が自動的に突出して使用に便利である。その場合、さらに栓カバー８を上方のバネ押えとして利用するようにし、栓体７に対して栓カバー８を装着したときには該栓カバー８が上記ストロー６の上動ストロークの規制を行うようにすれば、ストローバネ収容部の構造を簡略化することができる。
【発明の実施の形態】
【００１６】
図１ないし図３に例示するストロー付き液体容器を参照して本願発明の具体的な実施の形態を説明する。
【００１７】
この実施形態のストロー付き液体容器では、真空ボトル１を主体としこれに把手５２付き肩部材５１及び肩リング５３を装着してなる容器本体４部分と、栓ユニット５部分と、蓋ユニット１０部分と、その他吊り紐（図示省略）等の付属品部分とに大別される。
【００１８】
真空ボトル１は、ステンレス鋼製の内容器２と外容器（外装体となる）３を上端部において溶接（２７）し、且つ内、外両容器２，３の間の空間９を真空にして構成されている。
【００１９】
内容器２の上方入口部には小口径部２８が形成され、その上方はほぼ垂直の入口周壁部２９とされている。入口周壁部２９の中段部内面にはメネジ２２が形成されている。
【００２０】
真空ボトル１の肩部には把手５２付きの肩部材５１が装着されており、これを真空ボトル１の上方外周面のオネジ５４に螺着結合した肩リング５３によって真空ボトル１に固定し、容器本体４を形成している。
【００２１】
栓ユニット５は、椀形状をした栓体７と栓体７の上方を覆蓋する栓カバー８とを有している。栓体７と栓カバー８の間には保温作用を奏する空間２０が形成される。栓体７の中央部にはストロー６を挿通するための筒状のストロー挿通部１９があり、栓カバー８はこのストロー挿通部１９の上部に対して着脱自在に螺着される（螺合部３３）。
【００２２】
ストロー挿通部１９を通してストロー６が真空ボトル１の内外にわたって挿通されている。ストロー６は口付け部となる上ストロー６Ａと真空ボトル１内の底部に達する下ストロー６Ｂとを結合して構成されている。上ストロー６Ａの中間部にはバネ受１５が形成されており、ストロー６は、バネ１４によって上方に（ストロー６突出方向に）常時付勢されている。栓カバー８の中心部にはバネ受１５の上動を規制するフランジ部８ａが形成されている。
【００２３】
栓体７の外周面には真空ボトル１側のメネジ２２と螺合可能なオネジ２３が形成されており、このメネジ２２とオネジ２３を螺合させることにより栓ユニット５でもって真空ボトル１の開口部２１を封止することができる。すなわち、栓体７の下端部付近には環状のシール部材３０が装着されており、このシール部材３０を内容器２の小口径部２８に圧接させることにより、内容器２内の封止を行う。栓体７の底面には真空ボトル１内が負圧になったときのみ開弁して通気孔３１を開く通気弁部材２６が装着されている。栓体７には、真空ボトル１の上端溶接部２７を上方から覆うカバー部分７ａが形成されている。
【００２４】
蓋ユニット１０は、栓ユニット５の外側を覆蓋する蓋本体１１部分とストロー６の上方を開閉自在に覆蓋するストローカバー１２とをそなえて構成されている。
【００２５】
蓋本体１１の下方内周面には容器本体４側のオネジ２４（肩部材５１に形成されている）と螺合可能なメネジ２５が形成されている。
【００２６】
蓋本体１１の上方には軸３２にストローカバー１２が枢着されており、ストローカバー１２がこの軸３２の回りで枢動することによりストロー６の上方を覆蓋したり（図２の状態）、開放したり（図３の状態）する。
【００２７】
ストローカバー１２がストロー６の上方を覆蓋した状態では、ストロー６は真空ボトル１の中へ押し込まれる（図２）。このとき下ストロー６Ｂは内容器２の底面に沿って湾曲する（下ストロー６Ｂは比較的軟質な材料で作られている）。又、この状態ではストロー６の上端はパッキン３５で止水される。
【００２８】
蓋本体１１の上方一端側には、ストローカバー１２を閉状態でロックしたり（図２）、又はロック解除して開状態とする（図３）ストローカバー開閉部材１３が設けられている。
【００２９】
ストローカバー開閉部材１３の上面にはストローカバー１２に設けたフック部材１６が出入りするフック受孔１７が形成されている。ストローカバー１２の閉状態ではストローカバー１２のフック部材１６がストローカバー開閉部材１３のフック受孔１７の前方壁下面１７ａに係止され（図２）、この状態からストローカバー１２を開操作する場合は、ストローカバー開閉部材１３をバネ１８に抗して前方に押し込むと、フック部材１６とフック受孔１７の前方壁下面１７ａとの係合が外れ、ストローカバー１２は軸３２に装着されているバネによって開方向に旋回駆動される（図３）。
【００３０】
図１ないし図３に示すストロー付き液体容器は次のようにして使用される。
【００３１】
すなわち、真空ボトル１内にお茶やコーヒーなどの液体を充填するときは、先ず、蓋ユニット１０を容器本体４から取外し、次いで栓ユニット５を取外す。真空ボトル１内に液体を充填したあとは、栓ユニット５、蓋ユニット１０の順序で容器本体４に装着する。
【００３２】
真空ボトル１内の液体を飲用するときは、ストローカバー１２を開状態（図３）にすると、ストロー６がバネ１４に付勢されて上方に突出するので、その上ストロー６Ａ部分に口をつけて吸引する。液体吸引により真空ボトル１内が負圧状態となったときは、通気弁部材２６が開いて栓ユニット開口３６及び通気孔３１を通って真空ボトル１内に空気が補充される。
【００３３】
なお、この実施形態のものでは、通気孔３１が常に通気弁部材２６で閉止されているからストローカバー１２開放状態でストロー付き液体容器全体が誤って横置き又は上下逆置きされても真空ボトル１内の液体が通気孔３１から外部に漏れ出すことはない。これに対して図４に示す従来例のものでは、キャップ１１６の開放状態（ストロー１１７の突出状態）で、ストロー付き液体容器全体が誤って横置き又は上下逆置きされた場合（又は、容器本体を上下逆に傾けて飲用した場合）は、通気路１１８から液体が漏れ出すことが懸念される。
【００３４】
又、この実施形態のストロー付き液体容器において、栓ユニット５を洗浄する場合は、栓体７に螺着されている栓カバー８を指でネジ戻しして両者を分離することができる。栓カバー８は、このネジ戻しが容易なように、中心部を下方にくぼませてツマミ部８ａを形成している。
【発明の効果】
【００３５】
本願発明は、図４に例示する従来例のように、容器本体と蓋体とを直接結合して容器体とするのでなく、ステンレス鋼製の二重壁真空ボトル１に栓ユニット５を装着することをもって容器体とする。したがって、必ずしも平滑面とは限らない上端溶接部２７をもつ真空ボトル１を使用しても液漏れなどが生じることがなく、これまで存在しなかった保温機能をもつストロー付き液体容器を提供することができる。
【００３６】
またストロー６は、ストローバネ１４によって上方に付勢させてあるので、ストローカバー１２の開操作時に、ストロー６が自動的に突出して使用に便利である。しかも、その場合、さらに栓カバー８を上方のバネ押えとして利用するようにし、栓体７に対して栓カバー８を装着したときには該栓カバー８が上記ストロー６の上動ストロークの規制を行うようになっているので、ストローバネ収容部の構造を簡略化することができる。
【００３７】
なお、本願発明のストロー付き液体容器では、蓋ユニット１０と栓ユニット５とが個別に容器本体４に対して分離可能とされているから、真空ボトル１のほか、同蓋ユニット１０と栓ユニット５とを個別に洗浄（丸洗い）することができる。又、本願発明のストロー付き液体容器では栓体７に対して栓カバー８が着脱自在とされているから、必要に応じて栓体７及び栓カバー８を分解して丸洗いすることができる。
【図面の簡単な説明】
【００３８】
【図１】本願発明の実施例のストロー付き液体容器における容器本体、栓ユニット、蓋ユニットの分離状態説明図。
【図２】本願発明の実施例のストロー付き液体容器におけるストローカバー閉止状態図。
【図３】本願発明の実施例のストロー付き液体容器におけるストローカバー開放状態図。
【図４】従来公知のストロー付き液体容器の一例を示す説明図。
【符号の説明】
【００３９】
１は真空ボトル、２は内容器、３は外容器、４は容器本体、５は栓ユニット、６はストロー、７は栓体、８は栓カバー、１０は蓋ユニット、１１は蓋本体、１２はストローカバー、１３はストローカバー開閉部材、１４はストローバネ、１５はバネ受、１６はフック部材、１９はストロー挿通部、２２はメネジ、２３はオネジ、２４はオネジ、２５はメネジ、２６は通気弁部材、２７は上端溶接部、２８は小口径部、３０はシール部材である。
【図１】
0003596465.tif 000002
【図２】
0003596465.tif 000003
【図３】
0003596465.tif 000004
【図４】
0003596465.tif 000005